(57)【要約】【課題】Ｆコードなどによるコード情報を用いてファクシミリによるデータ受信をする際、受信画像の仕分けがＦコードなどによるコード情報だけではその対応が困難なこと。【解決手段】  発呼側ファクシミリ通信装置１から画像データを送信の際、例えばＦコードのようなコード情報に管理情報をのせ、コード情報の一部のコードを識別符号として公衆回線網２に送出し、同一宛て先の着呼側ファクシミリ装置３で、受けた識別符号に基づいて選択仕分けしている。したがって、仕分け先の選択に利用する識別符号がコード情報の一部のコードであるため、コード情報を利用するより木目細かな仕分けが可能である。【選択図】図１
2009021646.tif 000002
【特許請求の範囲】
【請求項１】
ファクシミリ通信の際に送られるデータにオプション信号として設定されるコード情報を利用して着呼側で受信画像を仕分けするファクシミリ通信方法において、発呼側から送信する前記コード情報の一部のコードを識別符号として受信画像の仕分けに利用することを特徴とするファクシミリ通信方法。
【請求項２】
請求項１に記載のファクシミリ通信方法において、前記コード情報と共に送信される画像データを受信画像として着呼側で処理する際には、同一の前記識別符号の受信画像を前記仕分け先に一括して分配することを特徴とするファクシミリ通信方法。
【請求項３】
請求項１または請求項２に記載のファクシミリ通信方法において、前記コード情報は勧告に規定されたＦコードであることを特徴とするファクシミリ通信方法。
【請求項４】
請求項３に記載のファクシミリ通信方法において、前記Ｆコードは勧告に規定されたＧ３ファックスプロトコルのＦコードであり、その識別符号はバイナリコードの最初の数桁であることを特徴とするファクシミリ通信方法。
【請求項５】
請求項４に記載のファクシミリ通信方法において、前記Ｆコードは、管理情報フォーマットとしてバイナリコードで形成され、その最初の３桁を識別符号とし、それに続く、１桁の処理指示、６桁の処理条件、および１０桁の付属情報で構成されることを特徴とするファクシミリ通信方法。
【請求項６】
請求項５に記載のファクシミリ通信方法において、前記処理指示には印刷／転送、前記処理条件には処理時期、および付属情報には転送指示に対する転送宛先それぞれを含むことを特徴とするファクシミリ通信方法。
【請求項７】
ファクシミリ通信の際に送られるデータにオプション信号として設定されるコード情報を利用するファクシミリ通信装置であって、発呼側機能として、前記コード情報の一部のコードを、着呼側で受信画像を仕分けするための識別符号とする手段を備えることを特徴とするファクシミリ通信装置。
【請求項８】
請求項７に記載のファクシミリ通信装置において、前記識別符号を含む管理情報をユーザから受ける入力手段と、前記管理情報を前記コード情報に形成する情報加工手段と、送信画像を画像データとして読み取る読取手段と、前記情報加工手段で形成のコード情報と前記読取手段で読取りの画像データとをまとめて回線網に送出する送信手段とを備えることを特徴とするファクシミリ通信装置。
【請求項９】
請求項７に記載のファクシミリ通信装置において、前記管理情報の所定位置に、前記識別符号、印刷／転送の処理種別を含む処理指示、処理時期を含む処理条件、および転送指示の際の転送宛て先を含む付属情報を含ませて前記コード情報を形成する手段を有することを特徴とするファクシミリ通信装置。
【請求項１０】
ファクシミリ通信の際に送られるデータにオプション信号として設定されるコード情報を利用して着呼側で受信画像を仕分けするファクシミリ通信装置であって、着呼側機能として、回線網から受信画像と共に受け取った前記コード情報から一部のコードを識別符号として抽出する手段と、該識別符号に基づき前記受信画像を仕分けする手段とを備えることを特徴とするファクシミリ通信装置。
【請求項１１】
請求項１０に記載のファクシミリ通信装置において、前記識別符号を含む管理情報を前記コード情報に設定し、コード情報として受付けした前記管理情報から前記識別符号、印刷／転送の処理種別を含む処理指示、処理時期を含む処理条件、および転送指示の際の転送宛先を含む付属情報を検出する手段を有することを特徴とするファクシミリ通信装置。
【請求項１２】
請求項１１に記載のファクシミリ通信装置において、回線網から受信画像となる画像データと共に前記コード情報を受け取る受信手段と、受け取った前記コード情報から識別符号を抽出して解析する解析手段と、前記コード情報を記録する管理テーブルと、前記コード情報から前記受信画像の処理条件と共に識別符号および処理指示を検出する検索手段と、その検索された識別符号に基づく仕分け先に分配する分配手段とを着呼側として備えることを特徴とするファクシミリ通信装置。
【請求項１３】
請求項１２に記載のファクシミリ通信装置において、前記受信画像を印刷出力する印刷手段を更に備え、印刷出力処理する際には、前記検索手段が、検出した同一識別符号の受信画像を前記印刷手段に送って印刷し、その出力を前記分配手段により前記仕分け先に一括して分配処理することを特徴とするファクシミリ通信装置。
【請求項１４】
請求項１２に記載のファクシミリ通信装置において、前記受信画像を前記転送宛先により回線網に転送する転送手段を更に備え、転送処理する際には、前記検索手段が、検出の同一識別符号を有する受信画像を前記転送手段に送って転送処理させることを特徴とするファクシミリ通信装置。
【請求項１５】
請求項１２に記載のファクシミリ通信装置において、前記受信画像を印刷出力する印刷手段と前記受信画像を前記転送宛て先により回線網に転送する転送手段とを更に備え、印刷処理する際には、前記検索手段が、検出の同一識別符号を有する受信画像を前記印刷手段に送って印刷し、その出力を前記分配手段により前記仕分け先に一括して分配処理し、かつ転送処理する際には、前記検索手段が、検出の同一識別符号を有する受信画像を前記転送手段に送って転送処理させることを特徴とするファクシミリ通信装置。
【請求項１６】
ファクシミリ通信の際に送られるデータにオプション信号として設定されるコード情報を利用するファクシミリ通信装置であって、前記コード情報の一部のコードを、着呼側で受信画像を仕分けするための識別符号とする手段と、回線網から受信画像と共に受け取った前記コード情報から一部のコードを識別符号として抽出する手段と、該識別符号に基づき前記受信画像を仕分けする手段とを備えることを特徴とするファクシミリ通信装置。
【発明の詳細な説明】
【技術分野】
【０００１】
本発明は、受信データの仕分けが容易なファクシミリ通信方式に関するものである。
【背景技術】
【０００２】
一般のファクシミリ通信方式は、受信したデータを、受信した順番に蓄積し、印字ジョブとして処理される。そのため、同種類のデータを複数の送信元から受信する場合に、受信タイミングによっては、その間に異なるデータを受信してその順序がばらばらになって蓄積され、出力されることがある。したがって、その中から特定の文書を探す場合、その仕分けは容易でない。
【０００３】
ここに、指定された相手先別に受信データを印刷出力できるファクシミリ通信方式が、例えば、特開平７−３８６７８号公報（特許文献１）にファクシミリ装置として開示されている。このファクシミリ装置では、受信データが、受信データに含まれる電話番号により、受信側のオペレータが指定する出力したい相手先ごとにまとめられ選択出力される。すなわち、特許文献１では、受信データは送信元である相手先電話番号で仕分けされ出力される。したがって、受信側で、一つのファクシミリ装置を複数の職場で共用する場合、または、例えば、職場内の担当別に選択が必要な場合、その仕分けはできない。
【０００４】
この問題を解決したファクシミリ通信方式として、例えば、特開２００１−１８６２９８号公報（特許文献２）に開示されるファクシミリ通信装置がある。このファクシミリ通信装置は、ファクシミリ通信の際に送信元からの受信データにオプション信号として設定されるコード情報に対応する機能ボックスを設けており、そのコード情報に定義される機能を実行する。そのオプション信号はファクシミリ通信でのＳＵＢ（サブアドレス）コマンド、ＳＥＰ（選択ポーリング）コマンドなどであり、オプション信号中に設定されるコード情報は、一般に、Ｆコードと呼称されるものである。すなわち、特許文献２では、受信データは機能ボックスにＦコードごとに仕分けされる。したがって、その仕分けは、機能別であり、例えばＳＵＢコマンドで担当者または担当部門を機能ボックスにより指定できる。
【０００５】
同様な機能は例えば特開２００２−２０９０４５号公報（特許文献３）のファクシミリに記載されている。このファクシミリでも、個人ごとに使用できるボックスを設け、Ｆコードなどをボックスに対応付けて管理し、送信側がデータ送信時に通信手順を利用してボックスを指定することにより、受信側での仕分けを容易にしている。
【０００６】
しかしながら、特許文献２または特許文献３であっても、例えば同一の担当部門または担当者をボックス対応としているので、そのボックス対応ないで受信した資料を例えば複数の会議別に仕分けしたいなどの場合、Ｆコードなどのコード情報だけではその対応が困難であり、その解決手段は開示されていない。
【０００７】
【特許文献１】特開平０７−０３８６７８号公報（第０００６段落および第００１５段落）
【特許文献２】特開２００１−１８６２９８号公報（第０００８段落、第０００９段落および第００１５段落）
【特許文献３】特開２００２−２０９０４５号公報（第０００４段落から第０００６段落まで）
【発明の開示】
【発明が解決しようとする課題】
【０００８】
解決しようとする課題は、ファクシミリによる受信データの仕分けがＦコードなどによるコード情報だけではその対応が困難なことである。
【課題を解決するための手段】
【０００９】
本発明は、ファクシミリ通信の際に送られるデータにオプション信号として設定されるコード情報をＦコードなどにより利用して着呼側で受信画像を仕分けするファクシミリ通信方法において、受信画像の仕分けを簡単・容易にすることを目的として、発呼側から送信する前記コード情報の一部のコードを識別符号として受信画像の仕分けに利用することを主要な特徴としている。
【００１０】
すなわち、上述したように、コード情報とは、ファクシミリ通信でのＳＵＢ（サブアドレス）コマンドなどを含むオプション信号中に設定されるものであり、一般に、Ｆコードと呼称されるものである。ファクシミリ通信で回線上を伝送される画像データは、発呼元で送信画像として読み取られ、着呼先で受信画像として印刷出力されるものとする。
【００１１】
したがって、発呼側としてのファクシミリ通信装置は、着呼側で受信画像を仕分けするためにオプション信号に設定されたコード情報を利用するものであって、前記コード情報の一部のコードを、着呼側で受信画像を仕分けするための識別符号とする手段を備える。
【００１２】
また、着呼側としてのファクシミリ通信装置は、オプション信号に設定されたコード情報を利用して着呼側で受信画像を仕分けするものであって、回線網から受信画像と共に受け取った前記コード情報の一部のコードを識別符号として抽出し前記受信画像の仕分けに利用する手段を備える。
【００１３】
さらに、本発明によるファクシミリ通信装置は、上述の送信機能および受信機能の両者を備えてもよい。
【発明の効果】
【００１４】
本発明のファクシミリ通信方式は、発呼側から送信の際、コード情報の一部のコードを識別符号として受信画像の仕分けに利用するため、コード情報に対応するボックス設定より、より細かな宛て先または仕分け先の設定ができるので、例えば同一のサブアドレス内での、一人の担当者に対する、複数の条件、例えば複数会議それぞれに対応する画像データ資料の仕分けも容易に可能になるという効果がある。
【発明を実施するための最良の形態】
【００１５】
Ｆコードなどによるコード情報を用いてファクシミリによるデータ受信をする際、受信データの仕分けを簡単・容易にするという目的を、発信側から画像データを送信の際、コード情報の一部のコードを識別符号として受信画像の仕分けに利用することにより、従来のシステム構成を損なわずに達成した。
【００１６】
以下に、本発明の実施例について図面を参照して説明する。図面は、紙面の都合上、本発明に係る主要部分を中心に示されており、装置として必須の機能でも、図示から省略されているものもある。また、図示されたブロック機能の分散もしくは併合、または手順の入れ替えなどの変更は、特許請求の範囲の趣旨を満たす限り自由であり、下記の説明が本発明を限定するものではない。
【実施例１】
【００１７】
本発明の実施例１について図１を参照して説明する。
【００１８】
図１は、本発明による発呼側ファクシミリ通信装置１から公衆回線網２により着呼側ファクシミリ通信装置３まで接続された一実施例をブロックで示す説明図である。本実施例によるファクシミリ通信装置１は、ユーザから入力される宛て先アドレスに基づき、ファクシミリ送信画像を画像データとして読取りしたのち通常の発呼処理が実行され、公衆回線網２を介してファクシミリ装置２にファクシミリのための通信回線が接続されているものとする。公衆回線網２を介して接続された発呼側と着呼側のファクシミリ通信装置１，３の相互間では、所定のファクシミリ通信プロトコルに基づく信号の授受が実行される。本実施例では、通信装置間が公衆回線網としているが、企業内ネットワークにおける回線網でも、またそれらが混在してもよい。
【００１９】
本発明では、ユーザが、ファクシミリ送信の際に、宛て先アドレスに加えて本発明の特徴である識別符号を含む管理情報を所定の手順で入力する。入力された管理情報はファクシミリ通信装置１で所定のコード情報に形成され、公衆回線網２を介してファクシミリ通信装置３へ送られる。本実施例での上記管理情報は、ファクシミリ通信プロトコルに基づくＦコードを利用する。管理情報としてのコード情報には、画像情報の識別符号、処理指示、処理条件などが含まれる。したがって、識別符号は、コード情報の一部のコードであって、プロジェクト別などを識別区分するために予め送受信者相互で設定されたものである。そのため、識別符号は、コード情報に対応する受信画像の分配ボックスより木目の細かな仕分け先の選択を着呼側で可能としている。
【００２０】
着呼側のファクシミリ通信装置３は、受付けした管理情報から識別符号を検索し、その受信画像を印刷の際に装置内の分配部に指示して画像印刷物を同一の識別符号別に仕分けして出力する。分配部は、識別符号ごとのトレーに出力の場合、一連の同一識別符号の間に異なる識別符号の印刷物が出力されても、混在することはない。一方、分配部が印刷物の位置を単に交互に移動させて排出する構造の場合には、処理条件に指定して、同一識別符号の受信画像を一括して連続印刷させることにより、異種の画像印刷物を分離出力することができる。
【００２１】
上記説明では、発着呼側を区別して図示し画像データの送受信いずれかの専用としているが、送受信の両機能を有するファクシミリ通信装置に適用できることは勿論である。
【００２２】
このような構成を採用したので、着呼側での担当者個人別、プロジェクト別などＦコードなどのコード情報対応より、より細かな仕分け先の選択を可能とするように、識別符号を予め設定することができる。これにより、複数のファクシミリ通信装置からの着呼に対して識別番号ごとにまとめて印刷出力できるので、受信画像の仕分け分配をきめ細かく設定可能である。
【実施例２】
【００２３】
本発明の実施例２について図２から図９までを参照して説明する。
【００２４】
図２は、本発明によるファクシミリ通信装置の一実施例をブロックで示す図である。
【００２５】
図２に示されるファクシミリ通信装置は、ファクシミリの画像データ送信側に、ユーザ入力部１１、管理情報加工部１２、データ読取部１３、読取りデータ蓄積部１４、通信データ送信部１５、およびモデム１６を備える。また、受信側には、モデム２１、データ受信部２２、管理情報解析部２３、データ検索部２４、管理テーブル２５、受付けデータ蓄積部２６、印刷部２７、分配部２８、および転送部２９が備えられる。本実施例で、通信装置間を公衆回線網で接続しているが、企業内回線網であってもよく、またそれらが混在してもよい。
【００２６】
ユーザ入力部１１は、ユーザがファクシミリ通信装置に手動操作で入力するキー、ボタン、タッチパネルなどにより構成され、本発明では、ユーザ入力部１１からユーザが、ファクシミリ送信の際に、本発明の特徴であり後に説明する管理情報を所定の手順で入力する。管理情報加工部１２は、ユーザ入力部１１から入力を受けた管理情報を所定の通信用フォーマットに加工して対応する送信画像であるファクシミリ送信データと共に読取りデータ蓄積部１４に記録する。データ読取部１３は、ユーザ入力部１１からの指示を受けてファクシミリ送信対象の画像データを送信画像として読み取り、読取りデータ蓄積部１４へ出力する。読取りデータ蓄積部１４は、データ読取部１３から受ける読取りデータをフ送信画像として、管理情報加工部１２から受ける管理情報とリンクさせて蓄積する。
【００２７】
同時に、ファクシミリ通信装置は、ユーザ入力部１１から入力される接続先アドレスに基づき、図示されない通常の発呼処理が実行され、公衆回線網を介して着呼先ファクシミリ通信装置にファクシミリ回線が接続される。その後は、発呼側と着呼側のファクシミリ通信装置間で所定のファクシミリ通信プロトコルに基づく信号の授受が実行される。上記管理情報はファクシミリ通信プロトコルに基づくＦコードを利用する。この実施例ではＳＵＢコマンドを用いるものとする。したがって、管理情報加工部１２は管理情報をＦコードに設定するものである。通信データ送信部１５は、所定のファクシミリ通信プロトコルに基づき、管理情報を含むＦコードと読取りした画像データとを通信データとして生成し、モデム１６を介して接続先へ送出する。また、通信データ送信部１５は、後述するように、転送部２９から転送データとして画像データとコード情報とを受けた場合も、同様に所定の送信処理を実行する。
【００２８】
図３および図４は、Ｆコードを利用した管理情報フォーマットの一実施例を示す説明図である。図示されているように、２０桁のコードは、先頭から順次、３桁の識別符号、１桁の処理指示、６桁の処理条件および１０桁の付属情報からなる。
【００２９】
識別符号は、Ｆコードの２０桁のうち３桁のみを利用するため、上述のコード情報より細かな仕分け先、例えば、着呼側での担当者個人別、プロジェクト別などに対応するような選択を信号受信側で可能とする。また、例えば、総ページ数または枚数が確定している多量の一括すべき画像データには一括して同一の識別符号が付与される。他方、本発明では、例えば一つのテーマで複数の発信元から同一送信先へ送る画像データが予め設定される同一識別符号の付与により実施されることが特徴となる。更に、本実施例による処理指示には、印刷出力するか転送するかの区別が含まれる。
【００３０】
処理条件には、印刷の場合、同一識別符号で上記総ページ数または枚数に達した際、または指定時刻に達した際に印刷出力する。Ｆコードに管理情報のないもの、すなわち識別符号のない画像データは着呼側で受信した際に即時印刷出力されるものとする。印刷用紙の節約のために受信データが蓄積保存されてユーザの確認にしたがって印刷出力する装置の場合には、管理情報の処理条件に「即刻」を設定することができる。転送の場合には、例えば即刻または時刻指定の設定がある。付属情報には、ほかの必要情報を付加することができる。例えば、転送先アドレスをここに含ませることができる。
【００３１】
他方、着呼側のファクシミリ通信装置では、モデム２１を介してデータ受信部２２が管理情報を含むＦコードと読取りした画像データとを発呼側から受信する。一方、受信画像には受信番号が付与される。本実施例による受信番号は後述するように例えば受信日付および時刻に更に一連番号が付与されるものとする。
【００３２】
管理情報解析部２３は、受信したＦコードから管理情報を解析してデータ検索部２４に通知する。データ検索部２４は、管理情報解析部２３から管理情報を受け、管理テーブル２５に記録する。その際、同一の識別符号が記録されている管理情報はそれぞれがリンク付けされる。データ検索部２４は、管理テーブル２５の処理条件を検索により常時監視しており、処理条件に一致した際には同一識別符号の受信画像をファイル番号すなわち受信番号により指定して受付けデータ蓄積部２６に送出を指示する。印刷の場合には、対応する受信画像の識別符号を分配部２８に通知する一方、転送の場合には、対応する受信画像の識別符号を転送部２９に通知する。転送部２９は、管理情報の処理指示を転送から印刷に変更して送信画像となる画像データと共に通信データ送信部１５に送出する。
【００３３】
図５Ａ、図５Ｂおよび図５Ｃは、管理テーブル２５、２５Ａおよび２５Ｂそれぞれ相違する状態を示す説明図である。この実施例では、管理情報に管理番号を付与しており、受信番号は、ファイル名として、２００７年４月２５日の受信画像それぞれに順次２桁の番号数字を付加して「Ｆ２００７０４２５ｘｘ」としている。図５Ｂでは、管理番号「００２０」の画像データと管理番号「０００３」の画像データとは識別符号「００６」で同一なのでまとめられている。実際の記録領域では周知のように分散データをピックアップして出力できるので、連続した領域に記録する必要はない。この二つの画像データが合計１０ページに到達した場合、管理番号の「０００３」と「００２０」との画像データが連続して印刷出力される。図５Ｃでは同一識別符号「００８」の３件の受信画像がまとめられている。これは、これらの受信画像が１２時３０分に達した時点で一括して順次印刷出力されることを意味する。
【００３４】
図５Ｂおよび図５Ｃでは、まとめられた同一識別符号の管理情報が、それぞれ新たに付与された管理番号を有している。しかし、まとめられたデータは最初の管理番号で管理することとしてこの管理番号で一括処理してもよい。
【００３５】
図６は、図２の受付けデータ蓄積部２６に記録されるデータ内容を示す説明図である。受付けデータ蓄積部２６は、上記受信番号をファイル番号としてデータ受信部２２で受付けの画像データを逐次記録蓄積する。関連する管理データは上述したように管理テーブル２５に記録され、このファイル番号によりリンク付けされる。
【００３６】
受付けデータ蓄積部２６は、データ検索部２４が管理テーブル２５の処理条件から検索した条件で指示を受け、処理指示に基づく印刷部２７または転送部２９に、蓄積されている受信画像を送る。印刷部２７は、受付けデータ蓄積部２６から受信画像を印刷指示と共に受け、印刷して分配部２８に送る。分配部２８は、印刷部２７から受けた印刷出力をデータ検索部２４から受けた識別符号にしたがって分配出力する。分配部２８は、識別符号ごとのトレーを備えているものとしているが、一つのトレー内で識別符号別にトレー内の出力位置を移動させる機構であってもよい。転送部２９は、従来同様な機能であるが、識別符号と共に転送時刻を一致させることによりまとめて転送できる。
【００３７】
次に、図７に図２から図６までをあわせ参照してファクシミリ通信装置の発呼側手順について説明する。
【００３８】
まず、ユーザが送信宛先と共に識別符号を含む上記管理情報を所定手順によりユーザ入力部１１から入力する。次いで、ユーザは画像データをデータ読取部１３に設定して読取りさせる。
【００３９】
ユーザ入力部１１が所定の送信宛先と識別符号を含む管理情報を入力（手順Ｓ１）受付けし、かつデータ読取部１３が画像データの読取り入力（手順Ｓ２）を終了して読取りデータ蓄積部１４が蓄積した際、管理情報加工部１２がユーザ入力部１１の入力データから管理情報を検索する。ファクシミリ通信の送信宛先により着呼側までの通信回線が形成されたことにより、ファクシミリ通信プロトコルが実行される。したがって、管理情報あり（手順Ｓ３のＹＥＳ）の場合には管理情報加工部１２が管理情報を図３に示されるようなフォーマットにしたがったＦコードに加工（手順Ｓ４）して読取りデータ蓄積部１４に読取り蓄積された送信画像のデータと共に、通信データに生成（手順Ｓ５）して送信宛て先へ回線網を介して送出（手順Ｓ６）する。一方、上記手順Ｓ３が「ＮＯ」で管理情報なしの場合、手順は、読取りデータ蓄積部１４に読取り蓄積された送信画像を通信データに生成（手順Ｓ７）して送信宛て先へ送出する上記手順Ｓ６に進む。
【００４０】
次に、図８に図２から図６までをあわせ参照してファクシミリ通信装置の着呼側手順について説明する。
【００４１】
データ受信部２２は、公衆回線網からモデム２１を介して通信データを受信画像のデータおよびＦコードと共に受付けた際、そのデータに受信番号を付与して受信画像として蓄積する。受信番号は上述したように例えば受信の時刻から生成する。管理情報解析部２３は、受付けした通信データから受付け情報を検索（手順Ｓ１１）する。受付け情報に管理情報あり（手順Ｓ１２のＹＥＳ）の場合、管理情報解析部２３は、その管理情報を解析して識別情報を取得（手順Ｓ１３）しデータ検索部２４に送出する。データ検索部２４は、管理テーブル２５で取得した識別符号を検索（手順Ｓ１４）し、その識別符号あり（手順Ｓ１５のＹＥＳ）の場合には受付けした受信画像のデータを該当受信画像のデータと一括処理可能に連結（手順Ｓ１６）する。データ検索部２４は、受付けした管理情報から処理条件を検索し、その条件が満足（手順Ｓ１７のＹＥＳ）の場合、管理情報の処理指示にしたがってその処理を実行（手順Ｓ１８）する。
【００４２】
例えば印刷処理の場合、データ検索部２４が受付けデータ蓄積部２６および分配部２８に同一識別符号の受信番号を指定して実行を指示する。したがって、対象の受信画像は、受付けデータ蓄積部２６から印刷部２７へ一括して順次送られ印刷出力された後、分配部２８で指示された仕分け先に一括排出される。また、転送処理の場合、データ検索部２４が受付けデータ蓄積部２６および転送部２９に同一識別符号の受信番号を指定し実行を指示する。転送部２９は、管理情報ありの場合、その処理指示を印刷に更新して通信データ送信部１５へ一括送信する。したがって、対象の受信画像は、送信画像として転送部２９から通信データ送信部１５を介して転送先へ送出される。
【００４３】
上記手順Ｓ１２が「ＮＯ」で受付の情報に管理情報が含まれない場合、受信画像は、印刷処理のため、従来同様直ちに受付けデータ蓄積部２６から印刷部２７へ送られ印刷出力された後、分配部２８で所定の仕分け先に排出される。上記手順Ｓ１５が「ＮＯ」で該当する識別符号なしの場合、その管理情報は管理番号と共に管理テーブル２５に追加（手順Ｓ２１）登録される。また、上記手順Ｓ１７が「ＮＯ」で現状が処理条件に該当しない場合、手順は、そこで終了して次の通信データの受付け待ち（手順Ｓ２２）となり、上記手順Ｓ１の開始を待つ。
【００４４】
次に、管理テーブル２５の処理条件に時刻指示があった場合の手順について説明する。この手順は、周知の機能であり図面は省略する。すなわち、データ検索部２４は、常時、図示されていない時計部の時刻と管理テーブル２５の処理条件に記録された時刻とを比較している。すなわち、データ検索部２４は時計部からの時刻を受付けして管理テーブル２５の処理条件を検索し、処理条件に一致の際に同一識別符号を一括して順次その指示にしたがって処理を実行する。
【００４５】
このような構成を採用したので、Ｆコードまたはコード情報への対応に比べて、着呼側での担当者個人別、またはプロジェクト別などのように、より細かな仕分け先選択を可能にする。そのため、受信画像の分配をきめ細かく設定可能であり、かつ識別番号ごとにまとめて印刷出力することも可能である。また、転送の場合も、識別符号と共に転送時刻を一致させることによりまとめて転送できるので、装置での処理動作および回線網でのトラヒックなどの低減に役立つ。すなわち、複数のファクシミリ通信装置から同一宛て先アドレスのファクシミリ通信装置へ着呼する受信画像も細かな受信先指定の識別符号を送受信者同士で予め設定することにより同一種別での一括仕分けができる。
【００４６】
上記説明では、ファクシミリ画像データの印刷と転送との機能をあわせ有する通信装置についてであるが、受信印刷専用または転送機能のみを有する装置にも適用可能である。さらには、送信側のみの機能における画像データスキャナ、または受信側のみの機能による印刷出力装置すなわちプリンタなどにも適用可能である。
【産業上の利用可能性】
【００４７】
ファクシミリ画像データの送信の際に管理情報としてＦコードなどによるコード情報を用いて、そのコード情報にサブアドレスより細かな仕分け先の選択可能な識別符号を含ませることが容易にでき、仕分けの際にその識別符号により一括した処理が可能なことによって、画像データの木目細かな仕分けを簡単・容易にすることが必要な画像データスキャナ、またはプリンタなどにも適用可能である。
【図面の簡単な説明】
【００４８】
【図１】ファクシミリ通信方式の実施例をブロックで示した説明図である。（実施例１）
【図２】図１の詳細と共に図１とは異なるファクシミリ通信方式の実施例をブロックで示した説明図である。（実施例２）
【図３】図２の管理情報におけるフォーマット構成の一実施例を示した説明図である。（実施例２）
【図４】図３の管理情報フォーマットについて複数の実施例を示した説明図である。（実施例２）
【図５Ａ】図２の管理テーブルにおける情報列挙の一実施例を示した説明図である。（実施例２）
【図５Ｂ】図５の管理テーブルにおいて列挙情報に情報追加の一実施例を示した説明図である。（実施例２）
【図５Ｃ】図５の管理テーブルにおいて列挙情報に情報追加の図５Ａとは異なる一実施例を示した説明図である。（実施例２）
【図６】図２の受付けデータ蓄積部における記録データ内容の一実施例を示した説明図である。（実施例２）
【図７】図２の送信データ入力の際のファクシミリ装置の動作手順の一実施例をフローチャートで示した説明図である。（実施例２）
【図８】図２の受信データ入力の際のファクシミリ装置の動作手順の一実施例をフローチャートで示した説明図である。（実施例２）
【符号の説明】
【００４９】
１、３  ファクシミリ通信装置
２      公衆回線網
１１    ユーザ入力部
１２    管理情報加工部
１３    データ読取部
１４    読取りデータ蓄積部
１５    通信データ送信部
１６、２１    モデム
２２    データ受信部
２３    管理情報解析部
２４    データ検索部
２５    管理テーブル
２６    受付けデータ蓄積部
２７    印刷部
２８    分配部
２９    転送部
【図１】
2009021646.tif 000003
【図２】
2009021646.tif 000004
【図３】
2009021646.tif 000005
【図４】
2009021646.tif 000006
【図５Ａ】
2009021646.tif 000007
【図５Ｂ】
2009021646.tif 000008
【図５Ｃ】
2009021646.tif 000009
【図６】
2009021646.tif 000010
【図７】
2009021646.tif 000011
【図８】
2009021646.tif 000012